(57)【要約】【課題】画像データに付帯する情報のうち、ユーザが特に必要とするものについて、画像表示ソフトや画像表示装置に関わらず、同じ様に表示する。【解決手段】画像データを縮小してサムネールを作成する際に、サムネールに余白部分を設け、その余白部分に選択した付帯情報を画像として書き込む。【選択図】        図１
2004173085.tif 000002
【特許請求の範囲】
【請求項１】
画像データを縮小する機能を有する画像処理装置であって、画像データを縮小するとともに余白部分を付加してサムネールを作成する機能を備え、前記サムネールの余白部分に、当該画像データに関連する情報を付加する機能を備えたことを特徴とする画像処理装置。
【請求項２】
前記サムネールの余白部分に付加する情報は、数字または文字または絵文字またはこれらの組み合わせであることを特徴とする請求項１記載の画像処理装置。
【請求項３】
前記サムネールの余白部分に付加する情報の種類を、選択することが可能となる機能を備えたことを特徴とする請求項１記載の画像処理装置。
【請求項４】
前記サムネールの余白部分に付加する数字または文字または絵文字の向きを変更することが可能であることを特徴とする請求項２記載の画像処理装置。
【請求項５】
前記画像データの向きを示す情報をもとに、前記サムネールの余白部分に付加する数字または文字または絵文字の向きを変更することが可能である請求項４記載の画像処理装置。
【請求項６】
画像データを縮小する機能を有する画像処理装置であって、画像データを縮小するとともに余白部分を付加してサムネールを作成する機能を備え、前記サムネールの余白部分の色または模様を変更することが出来る機能を備えたことを特徴とする画像処理装置。
【請求項７】
前記サムネールの余白部分の色または模様は、前記画像データに付帯する情報と関連させて変更する機能を備えたことを特徴とする請求項６記載の画像処理装置。
【請求項８】
前記サムネールの余白部分の色または模様に関連付ける、前記画像データに付帯する情報の種類を、選択することが可能となる機能を備えたことを特徴とする前記請求項６記載の画像処理装置。
【請求項９】
撮影して画像データを得る機能を備えたことを特徴とする、前記請求項１乃至８記載の画像処理装置。
【請求項１０】
画像データを縮小するとともに余白部分を付加してサムネールを作成し、当該サムネールの余白部分に、当該画像データに関連する情報を付加することを特徴とする画像処理方法。
【発明の詳細な説明】
【０００１】
【発明の属する技術分野】
本発明は、画像処理装置および画像処理方法に関する。
【０００２】
【従来の技術】
従来より、デジタルカメラ等で撮影した画像データに情報を付帯させて管理する技術が知られており、例えば日本電子工業振興協会で定められた規格としてＥｘｉｆおよびＤＣＦがある。これらの規格に沿って、画像データに付帯された情報を読み出して表示する表示装置またはアプリケーションソフトは多数市販されている。また画像印刷時の余白部分に、印刷対象の画像に関連する画像を印刷する印刷装置も提案されている（特開２０００−０３６９０３）。
【０００３】
【発明が解決しようとする課題】
これらの表示装置またはアプリケーションソフトでは、画像データに付帯する情報の表示方法は様々であり、同じ一連の画像データであっても表示装置やアプリケーションソフトが異なると表示される情報の種類が異なったり、表示レイアウトが異なったりするため、使用者は戸惑うことが多い。また、印刷による表示の場合にも、印刷装置にそのような特別な機能が必要となる。
【０００４】
本発明は、上記のような問題点を解決するためになされたものであり、表示装置やアプリケーションソフトにかかわらず、ユーザの必要とする付帯情報を表示できる画像データを作成できる画像処理装置および画像処理方法を提供することを目的とする。
【０００５】
【課題を解決するための手段】
本発明の画像処理装置は、画像データを縮小する機能と、画像データを縮小するとともに余白部分を付加してサムネールを作成する機能を備え、前記サムネールの余白部分に、当該画像データに関連する情報を付加している。
【０００６】
【発明の実施の形態】
（実施例１）
以下、図面を参照して本発明の第１の実施例を説明する。
【０００７】
図２は、本発明の実施例の構成を示す図である。
【０００８】
図２において、１００は画像処理装置である。
【０００９】
１２は撮像素子１４への露光量を制御するためのシャッター、１４は光学像を電気信号に変換する撮像素子である。
【００１０】
レンズ３１０に入射した光線は、一眼レフ方式によって、絞り３１２、レンズマウント３０６及び１０６、ミラー１３０、シャッター１２を介して導き、光学像として撮像素子１４上に結像することが出来る。
【００１１】
１６は撮像素子１４のアナログ信号出力をディジタル信号に変換するＡ／Ｄ変換器である。
【００１２】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１３】
２０は画像処理回路であり、Ａ／Ｄ変換器１６からのデータ或いはメモリ制御回路２２からのデータに対して所定の画素補間処理や色変換処理を行う。
【００１４】
また、画像処理回路２０においては、必要に応じて、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュ調光）処理を行うことが出来る。
【００１５】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１６】
なお、本実施例においては、測距手段４２及び測光手段４６を専用に備える構成としたため、測距手段４２及び測光手段４６を用いてＡＦ（オートフォーカス）処理、ＡＥ（自動露出）処理、ＥＦ（フラッシュ調光）処理の各処理を行い、上記画像処理回路２０を用いたＡＦ（オートフォーカス）処理、ＡＥ（自動露出）処理、ＥＦ（フラッシュ調光）処理の各処理を行わない構成としても良い。
【００１７】
或いは、測距手段４２及び測光手段４６を用いてＡＦ（オートフォーカス）処理、ＡＥ（自動露出）処理、ＥＦ（フラッシュ調光）処理の各処理を行い、さらに、上記画像処理回路２０を用いたＡＦ（オートフォーカス）処理、ＡＥ（自動露出）処理、ＥＦ（フラッシュ調光）処理の各処理を行う構成としても良い。
【００１８】
２２はメモリ制御回路であり、Ａ／Ｄ変換器１６、タイミング発生回路１８、画像処理回路２０、Ｄ／Ａ変換器２６、メモリ３０、圧縮・伸長回路３２を制御する。
【００１９】
Ａ／Ｄ変換器１６のデータが画像処理回路２０、メモリ制御回路２２を介して、或いはＡ／Ｄ変換器１６のデータが直接メモリ制御回路２２を介して、メモリ３０に書き込まれる。
【００２０】
２６はＤ／Ａ変換器、２８はＴＦＴ  ＬＣＤ等から成る画像表示部であり、メモリ３０に書き込まれた表示用の画像データはＤ／Ａ変換器２６を介して画像表示部２８により表示される。
【００２１】
画像表示部２８を用いて撮像した画像データを逐次表示すれば、電子ファインダー機能を実現することが可能である。
【００２２】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２３】
３０は撮影した静止画像や動画像を格納するためのメモリである。
【００２４】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２５】
４０は測光手段４６からの測光情報に基づいて、絞り３１２を制御する絞り制御手段３４０と連携しながら、シャッター１２を制御するシャッター制御手段である。
【００２６】
４２はＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することが出来る。
【００２７】
４６はＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定することが出来る。
【００２８】
また、測光手段４６は、フラッシュ４８と連携することによりＥＦ（フラッシュ調光）処理機能も有するものである。
【００２９】
４８はフラッシュであり、ＡＦ補助光の投光機能、フラッシュ調光機能も有する。
【００３０】
なお、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオＴＴＬ方式を用いて露出制御及びＡＦ（オートフォーカス）制御をすることも可能である。
【００３１】
さらに、測距手段４２による測定結果と、撮像素子１４によって撮像した画像データを画像処理回路２０によって演算した演算結果とを共に用いてＡＦ（オートフォーカス）制御を行っても構わない。
【００３２】
そして、測光手段４６による測定結果と、撮像素子１４によって撮像した画像データを画像処理回路２０によって演算した演算結果とを共に用いて露出制御を行っても構わない。
【００３３】
５０は画像処理装置１００全体を制御するシステム制御回路、５２はシステム制御回路５０の動作用の定数、変数、プログラム等を記憶するメモリである。
【００３４】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３５】
また、表示部５４は、その一部の機能が光学ファインダー１０４内に設置されている。
【００３６】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付・時刻表示、外部コンピュータとの接続状態を示す表示、等がある。
【００３７】
また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００３８】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００３９】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００４０】
５６は電気的に消去・記録可能な不揮発性メモリであり、例えばＥＥＰＲＯＭ等が用いられる。
【００４１】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４２】
ここで、これらの操作手段の具体的な説明を行う。
【００４３】
６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することが出来る。
【００４４】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。
【００４５】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４６】
６６は再生スイッチで、撮影モード状態において、撮影した画像をメモリ３０或いは記録媒体２００或いは２１０から読み出して画像表示部２８によって表示する再生動作の開始を指示する。
【００４７】
６８は単写／連写スイッチで、シャッタースイッチＳＷ２を押した場合に１駒の撮影を行って待機状態とする単写モードと、シャッタースイッチＳＷ２を押している間は連続して撮影を行い続ける連写モードとを設定することが出来る。
【００４８】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することが出来るＡＦモード設定スイッチ等がある。
【００４９】
また、上記プラスボタン及びマイナスボタンの各機能は、回転ダイアルスイッチを備えることによって、より軽快に数値や機能を選択することが可能となる。
【００５０】
７２は電源スイッチで、画像処理装置１００の電源オン、電源オフの各モードを切り替え設定することが出来る。また、画像処理装置１００に接続されたレンズユニット３００、外部ストロボ、記録媒体２００、２１０等の各種付属装置の電源オン、電源オフの設定も合わせて切り替え設定することが出来る。
【００５１】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５２】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５３】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５４】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００５５】
インタフェース及びコネクタとしては、ＰＣＭＣＩＡカードやＣＦ（コンパクトフラッシュ（登録商標））カード等の規格に準拠したものを用いて構成して構わない。
【００５６】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００５７】
１０４は光学ファインダーであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８による電子ファインダー機能を使用すること無しに、光学ファインダー１０４のみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５８】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５９】
１１２は通信手段１１０により画像処理装置１００を他の機器と接続するコネクタ或いは無線通信の場合はアンテナである。
【００６０】
１２０は、レンズマウント１０６内において、画像処理装置１００をレンズユニット３００と接続するためのインタフェース、１２２は画像処理装置１００をレンズユニット３００と電気的に接続するコネクタ、１２４はレンズマウント１０６及び或いはコネクタ１２２にレンズユニット３００が装着されているか否かを検知するレンズ着脱検知手段である。
【００６１】
コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００６２】
１３０、１３２はミラーで、レンズ３１０に入射した光線を、一眼レフ方式によって光学ファインダー１０４に導くことが出来る。なお、ミラー１３２は、クイックリターンミラーの構成としても、ハーフミラーの構成としても、どちらでも構わない。
【００６３】
２００はメモリカードやハードディスク等の記録媒体である。
【００６４】
記録媒体２００は、半導体メモリや磁気ディスク等から構成される記録部２０２、画像処理装置１００とのインタフェース２０４、画像処理装置１００と接続を行うコネクタ２０６を備えている。
【００６５】
２１０はメモリカードやハードディスク等の記録媒体である。
【００６６】
記録媒体２１０は、半導体メモリや磁気ディスク等から構成される記録部２１２、画像処理装置１００とのインタフェース２１４、画像処理装置１００と接続を行うコネクタ２１６を備えている。
【００６７】
３００は交換レンズタイプのレンズユニットである。
【００６８】
３０６は、レンズユニット３００を画像処理装置１００と機械的に結合するレンズマウントである。レンズマウント３０６内には、レンズユニット３００を画像処理装置１００と電気的に接続する各種機能が含まれている。
【００６９】
３１０は撮影レンズ、３１２は絞りである。
【００７０】
３２０は、レンズマウント３０６内において、レンズユニット３００を画像処理装置１００と接続するためのインタフェース、３２２はレンズユニット３００を画像処理装置１００と電気的に接続するコネクタである。
【００７１】
コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００７２】
３４０は測光手段４６からの測光情報に基づいて、シャッター１２を制御するシャッター制御手段４０と連携しながら、絞り３１２を制御する絞り制御手段である。
【００７３】
３４２は撮影レンズ３１０のフォーカシングを制御する測距制御手段、３４４は撮影レンズ３１０のズーミングを制御するズーム制御手段である。
【００７４】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【００７５】
図３及び図４を用いて、画像処理装置１００の動作を説明する。
【００７６】
図３は本発明の実施例の画像処理装置１００の主ルーチンのフローチャートの一部である。
【００７７】
電池交換等の電源投入により、システム制御回路５０はフラグや制御変数等を初期化し、画像処理装置１００の各部において必要な所定の初期設定を行う（Ｓ１０１）。
【００７８】
システム制御回路５０は、電源スイッチ６６の設定位置を判断し、電源スイッチ６６が電源ＯＦＦに設定されていたならば（Ｓ１０２）、各表示部の表示を終了状態に変更し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０３）、Ｓ１０２に戻る。
【００７９】
電源スイッチ６６が電源ＯＮに設定されていたならば（Ｓ１０２）、システム制御回路５０は、電源制御手段８０により電池等により構成される電源８６の残容量や動作情況が画像処理装置１００の動作に問題があるか否かを判断し（Ｓ１０４）、問題があるならば表示部５４を用いて画像や音声により所定の警告表示を行った後に（Ｓ１０５）、Ｓ１０２に戻る。
【００８０】
電源８６に問題が無いならば（Ｓ１０４）、システム制御回路５０はモードダイアル６０の設定位置を判断し、モードダイアル６０が撮影モードに設定されていたならば（Ｓ１０６）、Ｓ１０８に進む。
【００８１】
モードダイアル６０がその他のモードに設定されていたならば（Ｓ１０６）、システム制御回路５０は選択されたモードに応じた処理を実行し（Ｓ１０７）、処理を終えたならばＳ１０２に戻る。
【００８２】
システム制御回路５０は、記録媒体２００或いは２１０が装着されているかどうかの判断、記録媒体２００或いは２１０に記録された画像データの管理情報の取得、そして、記録媒体２００或いは２１０の動作状態が画像処理装置１００の動作、特に記録媒体に対する画像データの記録再生動作に問題があるか否かの判断を行い（Ｓ１０８）、問題があるならば表示部５４を用いて画像や音声により所定の警告表示を行った後に（Ｓ１０５）、Ｓ１０２に戻る。
【００８３】
記録媒体２００或いは２１０が装着されているかどうかの判断、記録媒体２００或いは２１０に記録された画像データの管理情報の取得、そして、記録媒体２００或いは２１０の動作状態が画像処理装置１００の動作、特に記録媒体に対する画像データの記録再生動作に問題があるか否かの判断を行った結果（Ｓ１０８）、問題が無いならば、Ｓ１０９に進む。
【００８４】
システム制御回路５０は、単写撮影／連写撮影を設定する単写／連写スイッチ６８の設定状態を調べ（Ｓ１０９）、単写撮影が選択されていたならば単写／連写フラグを単写に設定し（Ｓ１１０）、連写撮影が選択されていたならば単写／連写フラグを連写に設定し（Ｓ１１１）、フラグの設定を終えたならばＳ１１２に進む。
単写／連写スイッチ６８によれば、シャッタースイッチＳＷ２を押した場合に１駒の撮影を行って待機状態とする単写モードと、シャッタースイッチＳＷ２を押している間は連続して撮影を行い続ける連写モードとを任意に切り替えて設定切り替えすることが出来る。
【００８５】
なお、単写／連写フラグの状態は、システム制御回路５０の内部メモリ或いはメモリ５２に記憶する。
【００８６】
システム制御回路５０は表示部５４を用いて画像や音声により画像処理装置１００の各種設定状態の表示を行う（Ｓ１１２）。なお、画像表示部２８の画像表示がＯＮであったならば、画像表示部２８も用いて画像や音声により画像処理装置１００の各種設定状態の表示を行う。
【００８７】
次に、作成するサムネールに付加する情報を撮影者が選択する（Ｓ１１３）。例えば、日付・シャッタースピード・絞り値・撮影者ＩＤ・撮影モード・使用レンズ種別・画像サイズ等の多くの付帯情報のうちから、サムネールに画像として付加したしたい情報を選択できる。
【００８８】
シャッタースイッチＳＷ１が押されていないならば（Ｓ１２１）、Ｓ１０２に戻る。
【００８９】
シャッタースイッチＳＷ１が押されたならば（Ｓ１２１）、システム制御回路５０は、測距処理を行って撮影レンズ１０の焦点を被写体に合わせ、測光処理を行って絞り値及びシャッター時間を決定する、測距・測光処理を行う（Ｓ１２２）。測光処理に於いて、必要であればフラッシュの設定も行う。  この測距・測光処理Ｓ１２２の詳細は図５を用いて後述する。
【００９０】
システム制御回路５０はシステム制御回路５０の内部メモリ或いはメモリ５２に記憶される単写／連写フラグの状態を判断し（Ｓ１２３）、単写が設定されていたならばＳ１２５に進む。
【００９１】
このように、Ｓ１２３において単写が設定されていた場合は、ダーク取り込み処理Ｓ１２４を行わずにＳ１２５に進むことにより、Ｓ１２５においてシャッタースイッチＳＷ２が押された時のレリーズタイムラグを減少させることが可能となる。
【００９２】
連写が設定されていたならば（Ｓ１２３）、シャッター１２を閉じた状態で撮像素子１４の暗電流等のノイズ成分を本撮影と同じ時間蓄積し、蓄積を終えたノイズ画像信号を読み出すダーク取り込み処理を行い（Ｓ１２４）、Ｓ１２５に進む。
【００９３】
このダーク取り込み処理で取り込んだダーク画像データを用いて補正演算処理を行うことにより、撮像素子１４の発生する暗電流ノイズや撮像素子１４固有のキズによる画素欠損等の画質劣化に関して、撮影した画像データを補正することが出来る。
【００９４】
このダーク取り込み処理Ｓ１２４の詳細は図６を用いて後述する。
【００９５】
シャッタースイッチＳＷ２が押されていないならば（Ｓ１２５）、シャッタースイッチＳＷ１が放されるまで（Ｓ１２６）、現在の処理を繰り返す。
【００９６】
シャッタースイッチＳＷ１が放されたならば（Ｓ１２６）、Ｓ１０２に戻る。
【００９７】
シャッタースイッチＳＷ２が押されたならば（Ｓ１２５）、システム制御回路５０は、撮影した画像データを記憶可能な画像記憶バッファ領域がメモリ３０にあるかどうかを判断し（Ｓ１２７）、メモリ３０の画像記憶バッファ領域内に新たな画像データを記憶可能な領域が無いならば、表示部５４を用いて画像や音声により所定の警告表示を行った後に（Ｓ１２８）、Ｓ１０２に戻る。
【００９８】
メモリ３０に撮影した画像データを記憶可能な画像記憶バッファ領域があるならば（Ｓ１２７）、システム制御回路５０は、撮像して所定時間蓄積した撮像信号を撮像素子１２から読み出して、Ａ／Ｄ変換器１６、画像処理回路２０、メモリ制御回路２２を介して、或いはＡ／Ｄ変換器から直接メモリ制御回路２２を介して、メモリ３０の所定領域に撮影した画像データを書き込む撮影処理を実行する（Ｓ１２９）。
【００９９】
この撮影処理Ｓ１２９の詳細は図７を用いて後述する。
【０１００】
撮影処理Ｓ１２９が終了した時点で、画像データに付帯させるべき情報を収集しメモリに書き込む（Ｓ１３７）。付帯させるべき情報には例えば、撮影日時・撮影モード・シャッタースピード・絞り値・縦位置かどうかの情報・画質・画像サイズ等がある。
【０１０１】
撮影処理Ｓ１２９を終えたならば、システム制御回路５０はシステム制御回路５０の内部メモリ或いはメモリ５２に記憶される単写／連写フラグの状態を判断し（Ｓ１３０）、連写が設定されていたならばＳ１３２に進む。
【０１０２】
システム制御回路５０は、メモリ３０の所定領域へ書き込まれた画像データの一部をメモリ制御回路２２を介して読み出して、現像処理を行うために必要なＷＢ（ホワイトバランス）積分演算処理、ＯＢ（オプティカルブラック）積分演算処理を行い、演算結果をシステム制御回路５０の内部メモリ或いはメモリ５２に記憶する。
【０１０３】
システム制御回路５０は、メモリ３０の所定領域へ書き込まれた画像データの一部をメモリ制御回路２２を介して読み出して、現像処理を行うために必要なＷＢ（ホワイトバランス）積分演算処理、ＯＢ（オプティカルブラック）積分演算処理を行い、演算結果をシステム制御回路５０の内部メモリ或いはメモリ５２に記憶する。
【０１０４】
そして、システム制御回路５０は、メモリ制御回路２２そして必要に応じて画像処理回路２０を用いて、メモリ３０の所定領域に書き込まれた撮影画像データを読み出して、システム制御回路５０の内部メモリ或いはメモリ５２に記憶した演算結果を用いて、ＡＷＢ（オートホワイトバランス）処理、ガンマ変換処理、色変換処理を含む各種現像処理を行う（Ｓ１３２）。
【０１０５】
さらに、現像処理においては、ダーク取り込み処理において取り込んだダーク画像データを用いて減算処理を行うことにより、撮像素子１４の暗電流ノイズ等を打ち消すダーク補正演算処理も併せて行う。
【０１０６】
現像処理Ｓ１３２を行った結果得られた画像データはメモリ３０の所定領域に書き込まれる。このデータをもとに、サムネールを作成する（Ｓ１３７）。
【０１０７】
このサムネール作成処理（Ｓ１３７）については、図８を用いて後述する。
【０１０８】
そして、システム制御回路５０は、メモリ３０の所定領域に書き込まれた画像データを読み出して、設定したモードに応じた画像圧縮処理を圧縮・伸長回路３２により行い（Ｓ１３３）、メモリ３０の画像記憶バッファ領域の空き画像部分に、撮影して一連の画像処理を終えた画像データの書き込みを行う。また、作成したサムネールについても圧縮し、メモリ３０上に書き込む。
【０１０９】
圧縮された画像データと、圧縮されたサムネールデータを関連付けてファイルを作成する（Ｓ１４０）。
【０１１０】
一連の撮影の実行に伴い、システム制御回路５０は、メモリ３０の画像記憶バッファ領域に記憶した画像データを読み出して、インタフェース９０或いは９４、コネクタ９２或いは９６を介して、メモリカードやコンパクトフラッシュ（登録商標）カード等の記録媒体２００或いは２１０へ書き込みを行う記録処理を開始する（Ｓ１３４）。
【０１１１】
この記録開始処理は、メモリ３０の画像記憶バッファ領域の空き画像部分に、撮影して一連の処理を終えた画像データの書き込みが新たに行われる度に、その画像データに対して実行される。
【０１１２】
なお、記録媒体２００或いは２１０へ画像データの書き込みを行っている間、書き込み動作中であることを明示するために、表示部５４において例えばＬＥＤを点滅させる等の記録媒体書き込み動作表示を行う。
【０１１３】
システム制御回路５０は、シャッタースイッチＳＷ１が押されているかどうかを判断する（Ｓ１３５）。
【０１１４】
シャッタースイッチＳＷ１が放された状態であったならば（Ｓ１３５）、Ｓ１０２に戻る。
【０１１５】
シャッタースイッチＳＷ１が押された状態であったならば（Ｓ１３５）、システム制御回路５０の内部メモリ或いはメモリ５２に記憶される単写／連写フラグの状態を判断し（Ｓ１３６）、単写が設定されていたならば、Ｓ１３５に戻り、ＳＷ１が放されるまで現在の処理を繰り返す。
【０１１６】
連写が設定されていたならば（Ｓ１３６）、連続して撮影を行うためにＳ１２５に戻り、次の撮影を行う。
【０１１７】
図５は、図４のＳ１２２における測距・測光処理の詳細なフローチャートを示す。
【０１１８】
なお、測距・測光処理においては、システム制御回路５０と絞り制御手段３４０或いは測距制御手段３４２との間の各種信号のやり取りは、インタフェース１２０、コネクタ１２２、コネクタ３２２、インタフェース３２０、レンズ制御手段３５０を介して行われる。
【０１１９】
システム制御回路５０は、撮像素子１４測距手段４２及び測距制御手段３４２を用いて、ＡＦ（オートフォーカス）処理を開始する（Ｓ２０１）。
【０１２０】
システム制御回路５０は、レンズ３１０に入射した光線を、絞り３１２、レンズマウント３０６及び１０６、ミラー１３０、不図示の測距用サブミラーを介して、測距手段４２に入射させることにより、光学像として結像された画像の合焦状態を判断し、測距（ＡＦ）が合焦と判断されるまで（Ｓ２０３）、測距制御手段３４２を用いてレンズ３１０を駆動しながら、測距手段４２を用いて合焦状態を検出するＡＦ制御を実行する（Ｓ２０２）。
【０１２１】
測距（ＡＦ）が合焦と判断したならば（Ｓ２０３）、システム制御回路５０は、撮影画面内の複数の測距点の中から合焦した測距点を決定し、決定した測距点データと共に測距データ及び或いは設定パラメータをシステム制御回路５０の内部メモリ或いはメモリ５２に記憶しＳ２０５に進む。
【０１２２】
続いて、システム制御回路５０は、測光手段４６を用いて、ＡＥ（自動露出）処理を開始する（Ｓ２０５）。
【０１２３】
システム制御回路５０は、レンズ３１０に入射した光線を、絞り３１２、レンズマウント３０６及び１０６、ミラー１３０及び１３２そして不図示の測光用レンズを介して、測光手段４６に入射させることにより、光学像として結像された画像の露出状態を測定し、露出（ＡＥ）が適正と判断されるまで（Ｓ２０６）、露光制御手段４０を用いて測光処理を行う（Ｓ２０６）。
【０１２４】
露出（ＡＥ）が適正と判断したならば（Ｓ２０７）、システム制御回路５０は、測光データ及び或いは設定パラメータをシステム制御回路５０の内部メモリ或いはメモリ５２に記憶し、Ｓ２０８に進む。
【０１２５】
なお、測光処理Ｓ２０６で検出した露出（ＡＥ）結果と、モードダイアル６０によって設定された撮影モードに応じて、システム制御回路５０は、絞り値（Ａｖ値）、シャッター速度（Ｔｖ値）が決定する。
【０１２６】
そして、ここで決定したシャッター速度（Ｔｖ値）に応じて、システム制御回路５０は、撮像素子１４の電荷蓄積時間を決定し、撮影処理を行う。
【０１２７】
測光処理Ｓ２０６で得られた測定データにより、システム制御回路５０はフラッシュが必要か否かを判断し（Ｓ２０８）、フラッシュが必要ならばフラッシュフラグをセットし、フラッシュ４８の充電が完了するまで（Ｓ２１０）、フラッシュ４８を充電する（Ｓ２０９）。
【０１２８】
フラッシュ４８の充電が完了したならば（Ｓ２１０）、測距・測光処理ルーチンＳ１２２を終了する。
【０１２９】
図６は、図４のＳ１２４におけるダーク取り込み処理の詳細なフローチャートを示す。
【０１３０】
システム制御回路５０は、撮像素子１４の電荷クリア動作を行った後に（Ｓ４０１）、シャッター１２が閉じた状態で、撮像素子１４の電荷蓄積を開始する（Ｓ４０２）。
【０１３１】
設定した所定の電荷蓄積時間が経過したならば（Ｓ４０３）、システム制御回路５０は、撮像素子１４の電荷蓄積を終了した後（Ｓ４０４）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域への画像データ（ダーク画像データ）を書き込む（Ｓ４０５）。なお、このダーク画像データは、新たに測距・測光処理が行われるか、画像処理装置１００の電源がＯＦＦされるまで、メモリ３０の所定領域に保持される。
一連の処理を終えたならば、ダーク取り込み処理ルーチンＳ１２４を終了する。図７は、図４のＳ１２９における撮影処理の詳細なフローチャートを示す。
【０１３２】
なお、撮影処理においては、システム制御回路５０と絞り制御手段３４０或いは測距制御手段３４２との間の各種信号のやり取りは、インタフェース１２０、コネクタ１２２、コネクタ３２２、インタフェース３２０、レンズ制御手段３５０を介して行われる。
【０１３３】
システム制御回路５０は、ミラー１３０を不図示のミラー駆動手段によってミラーアップ位置に移動すると共に（Ｓ３０１）、システム制御回路５０の内部メモリ或いはメモリ５２に記憶される測光データに従い、絞り制御手段３４０によって絞り３１２を所定の絞り値まで駆動する（Ｓ３０２）。
【０１３４】
システム制御回路５０は、撮像素子１４の電荷クリア動作を行った後に（Ｓ３０３）、撮像素子１４の電荷蓄積を開始した後（Ｓ３０４）、シャッター制御手段４０によって、シャッター１２を開き（Ｓ３０５）、撮像素子１４の露光を開始する（Ｓ３０６）。
【０１３５】
ここで、フラッシュフラグによりフラッシュ４８が必要か否かを判断し（Ｓ３０７）、必要な場合はフラッシュを発光させる（Ｓ３０８）。
【０１３６】
システム制御回路５０は、測光データに従って撮像素子１４の露光終了を待ち（Ｓ３０９）、シャッター制御手段４０によって、シャッター１２を閉じ（Ｓ３１０）、撮像素子１４の露光を終了する。
【０１３７】
システム制御回路５０は、絞り制御手段３４０によって絞り３１２を開放の絞り値まで駆動すると共に（Ｓ３１１）、ミラー１３０を不図示のミラー駆動手段によってミラーダウン位置に移動する（Ｓ３１２）。
【０１３８】
設定した電荷蓄積時間が経過したならば（Ｓ３１３）、システム制御回路５０は、撮像素子１４の電荷蓄積を終了した後（Ｓ３１４）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域への撮影画像データを書き込む（Ｓ３１５）。
【０１３９】
図８はサムネール作成の詳細を示すフローチャートである。現像処理（Ｓ１３２）により作成された現像済み画像データを、メモリ制御回路２２を通してメモリ３２より読み出し（Ｓ６０１）、画像データ縮小回路１４０でサムネール用に縮小する（Ｓ６０２）。このときの縮小率は、サムネールのサイズより小さくなるような値を選択する。縮小後のデータは、メモリ制御回路２２を通してメモリ３２に格納する。つぎに、メモリ制御回路２２を通して、メモリ３２の所定位置に余白領域を確保する（Ｓ６０４）。この余白領域には、画像データのアスペクト比とサムネールのアスペクト比が異なる場合に生じる余白を用いても良い。余白部書込処理回路１４１によって余白部に付帯情報を書き込む（Ｓ６０５）。
【０１４０】
図９は、ステップＳ６０４終了後の、メモリ３２上に占めるサムネール領域を示した図である。図中の領域Ｄ１は現像後の画像データを縮小回路１４０で縮小した結果の出力データを格納している領域である。図中の領域Ｄ０および領域Ｄ２は、ステップＳ６０４において確保された余白領域である。ステップＳ６０５ではこの領域Ｄ０、Ｄ２に対して付帯情報の書き込みを行う。
【０１４１】
図１は、サムネール作成時のデータの流れを示した図である。ここで、メモリ３０、縮小処理部１４０および余白部書き込み処理部１４１は、図２中に示したものと同一のブロックを指している。
【０１４２】
メモリ３０上に格納された、現像処理済み画像データ１００５はステップＳ６０２において、縮小処理部１４０によって縮小され、メモリ３０上のサムネールデータ１００６格納領域中の所定位置に格納されている。ステップＳ６０５において、余白部書き込み処理部１４１は、書き込み情報選択フラグ１１０７によって、画像データの付帯情報１１０１から余白部に書き込む情報を選択する。選択された付帯情報をもとに、余白部書き込み処理部１４１は、フォントデータ１１０２、色データ１１０３、図柄データ１１０４を組み合わせてサムネール余白部のデータを作成し、サムネールデータ１００６格納領域中の所定位置に書き込む。
【０１４３】
図１０に、余白部分に付帯情報を書き込んだサムネールの例を示す。図中▲１▼例では、下側の余白部分に撮影日付を書き、上側の余白部分にシャッタースピードと絞り値を書いている。図中▲２▼の例では、画像付帯情報に、縦位置で撮影した情報が含まれていた場合に、文字を回転させて書き込んだ例を示している。
【０１４４】
図１１に、余白部分に付帯情報を書き込んだサムネールの別の例を示す。撮影者ごとに余白部の図柄を決めて選択し、また撮影時の撮影モードに対して色を設定しておくことにより、図中▲１▼の場合は撮影者Ａがシャッター優先モードで撮影した画像、図中▲２▼の場合は撮影者Ｂが絞り優先モードで撮影した画像であることが、サムネールを見ることにより判別できる。これらは画像データとして書き込まれているので、サムネールを表示するアプリケーションソフトや、表示装置に依らず同様に表示される。
【０１４５】
以上、第１の実施例について説明した。
【０１４６】
（実施例２）
つぎに第２の実施例について説明する。
【０１４７】
本実施例における構成は第１の実施例と共通とし、説明は省略する。
【０１４８】
図１２に、記録メディアに記録済みの画像データからサムネールを作成し、情報を書き込む処理のフローチャートを示す。まず記録部に記録されている圧縮済み画像データを読み出し（Ｓ７０１）、伸長処理を行い（Ｓ７０２）、メモリ３０上に格納する（Ｓ７０３）。次に、メモリ３０上に格納された画像データを読み出し、サムネールを作成する（Ｓ７０５）。このサムネール作成処理については、第１の実施例で説明したステップＳ１３７における処理と共通とし、説明を省略する。サムネール作成処理Ｓ７０５で作成されたサムネール画像を圧縮し（Ｓ７０６）、その結果得られた圧縮済みのサムネール画像と、記録部に記録されていた圧縮済み画像データを関連付けて画像ファイルを作成し（Ｓ７０７）、再度記録部に書き込みを行う（Ｓ７０８）。
【０１４９】
このような処理を行うことによって、記録部に記録されている画像データに対しても、情報付きサムネールを作成することが可能となる。
【０１５０】
なお、本実施例では、撮像機能を備えた画像処理装置を例に説明したが、撮像機能を持たない画像処理装置でも同様の処理を行うことは可能である。
【０１５１】
以上、第２の実施例について説明した。
【０１５２】
【発明の効果】
本願の請求項１に記載した発明によれば、画像表示装置や表示アプリケーションにかかわらず、画像データに付帯する情報を表示できるようにし、且つ画像データ自体に影響しないデータを得ることが可能となる。
【０１５３】
また、本願の請求項２に記載した発明によれば、画像データに付帯する情報を、数字または文字または絵文字により表現することが可能となる。
【０１５４】
また、本願の請求項３に記載した発明によれば、サムネールに付加する情報を使用者が選択することが可能となる。
【０１５５】
また、本願の請求項４に記載した発明によれば、数字または文字または絵文字の向きを変更してサムネールに付加することが可能となる。
【０１５６】
また、本願の請求項５に記載した発明によれば、画像に付帯する、画像の向きの情報に応じて、数字または文字または絵文字の向きを変更してサムネールに付加することが可能となる。
【０１５７】
また、本願の請求項６に記載した発明によれば、サムネールの余白部分の色または模様を変更することが可能となる。
【０１５８】
また、本願の請求項７に記載した発明によれば、サムネールの余白部分の色または模様により、画像データに付帯する情報を示すことが可能となる。
【０１５９】
また、本願の請求項８に記載した発明によれば、サムネールの余白部分の色または模様により示す情報を使用者が選択することが可能となる。
【０１６０】
また、本願の請求項９に記載した発明によれば、請求項１乃至８の発明により得られる効果をもち、且つ撮影する機能をもつ画像処理装置を提供することが可能となる。
【図面の簡単な説明】
【図１】本発明の実施例における、サムネール作成時のデータの流れを示した図である。
【図２】本発明の実施例の構成を示す図である。
【図３】本発明の実施例１の画像処理装置１００の主ルーチンのフローチャートの一部である。
【図４】本発明の第１の実施例１の画像処理装置１００の主ルーチンのフローチャートの一部である。
【図５】本発明の実施例１の画像処理装置１００の測距・測光処理のフローチャートである。
【図６】本発明の実施例１の画像処理装置１００のダーク取り込み処理のフローチャートである。
【図７】本発明の実施例の画像処理装置１００の撮影処理のフローチャートである。
【図８】本発明の実施例１のサムネール作成処理のフローチャートである。
【図９】本発明の実施例における、サムネールのメモリ３２上の占める領域を示した図である。
【図１０】本発明の実施例において、サムネールの余白部分に付帯情報を書き込んだ状態を示した図である。
【図１１】本発明の実施例において、サムネールの余白部分に付帯情報を書き込んだ状態を示した図である。
【図１２】本発明の実施例２のサムネール作成処理のフローチャートである。
【符号の説明】
１２  シャッター
１４  撮像素子
１６  Ａ／Ｄ変換器
１８  タイミング発生回路
２０  画像処理回路
２２  メモリ制御回路
２６  Ｄ／Ａ変換器
２８  画像表示部
３０  メモリ
３２  画像圧縮・伸長回路
４０  シャッター制御手段
４２  測距手段
４６  測光手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  再生スイッチ
６８  単写／連写スイッチ
７０  操作部
７２  電源スイッチ
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０４  光学ファインダー
１０６  レンズマウント
１１０  通信手段
１１２  コネクタ（またはアンテナ）
１２０  インタフェース
１２２  コネクタ
１３０  ミラー
１３２  ミラー
１４０  画像縮小処理回路
１４１  サムネール余白書き込み回路
１４２  縦位置検出手段
２００  記録媒体
２０２  記録部
２０４  インタフェース
２０６  コネクタ
２１０  記録媒体
２１２  記録部
２１４  インタフェース
２１６  コネクタ
３００  レンズユニット
３０６  レンズマウント
３１０  撮影レンズ
３１２  絞り
３２０  インタフェース
３２２  コネクタ
３４０  露光制御手段
３４２  測距制御手段
３４４  ズーム制御手段
３５０  レンズシステム制御回路
【図１】
2004173085.tif 000003
【図２】
2004173085.tif 000004
【図３】
2004173085.tif 000005
【図４】
2004173085.tif 000006
【図５】
2004173085.tif 000007
【図６】
2004173085.tif 000008
【図７】
2004173085.tif 000009
【図８】
2004173085.tif 000010
【図９】
2004173085.tif 000011
【図１０】
2004173085.tif 000012
【図１１】
2004173085.tif 000013
【図１２】
2004173085.tif 000014